(57)【特許請求の範囲】
【請求項１】
チャンネル毎に入力した画像を録画し、選択されたチャンネルの録画画像を再生する録画画像再生装置であって、
表示部の画面上に前記チャンネル毎の録画画像の時間軸を表示する録画画像時間軸表示手段と、
前記チャンネル毎の録画画像の時間軸上に、前記チャンネルで該当する時刻に発生したイベント情報を表示するイベント情報表示手段と、
操作入力部からの指示入力に基づき、前記録画画像の時間軸上の位置を選択する選択手段と、
前記選択された位置に対応する録画画像を再生する再生手段と
を備える録画画像再生装置。
【請求項２】
前記イベント情報表示手段は、同一チャンネルの録画画像の時間軸上で複数のイベント情報を重ね合わせて表示する際、重なり合う複数のイベント情報の表示形態を異ならせる請求項１記載の録画画像再生装置。
【請求項３】
前記イベント情報表示手段による前記イベント情報の表示の有無を制御する表示制御手段を備える請求項１または２記載の録画画像再生装置。
【請求項４】
前記表示制御手段は、
前記表示部の画面上にイベント情報の一覧を表示する一覧表示手段と、
前記表示されたイベント情報の一覧の中から、前記イベント情報表示手段により表示されるイベント情報を選択するイベント情報選択手段とを備える請求項３記載の録画画像再生装置。
【請求項５】
前記画面において、前記録画画像の時間軸を表示する領域の他、前記イベント情報の表示の有無に関する指示を受け付ける領域、前記イベント情報の一覧が表示される領域、前記イベント情報の一覧の中からイベント情報の選択を受け付ける領域、及び前記録画画像の再生の指示を受け付ける領域を設けた請求項４記載の録画画像再生装置。
【請求項６】
前記イベント情報表示手段は、複数のチャンネル間で発生したイベント情報を連携させ、この連携情報を前記録画画像の時間軸上に表示し、
前記選択手段は、前記録画画像の時間軸上に表示された連携情報を選択する請求項１記載の録画画像再生装置。
【請求項７】
前記イベント情報表示手段は、同一のチャンネルで発生した複数のイベント情報を連携させ、この連携情報を、前記同一チャンネルの前記録画画像の時間軸上に表示し、
前記選択手段は、前記録画画像の時間軸上に表示された連携情報を選択する請求項１記載の録画画像再生装置。
【請求項８】
前記連携情報に対応する録画画像の連携再生を指示する連携指示手段と、
前記連携情報に対応する録画画像の個別再生を指示する個別指示手段とを備え、
前記再生手段は、前記連携指示手段によって連携再生が指示された場合、前記連携情報に対応する録画画像を連携して再生し、前記個別指示手段によって個別再生が指示された場合、前記連携情報に対応する録画画像を個別に再生する請求項６または７記載の録画画像再生装置。
【請求項９】
チャンネル毎に入力した画像を録画し、選択されたチャンネルの録画画像を再生する録画画像再生装置における録画画像再生方法であって、
表示部の画面上に前記チャンネル毎の録画画像の時間軸を表示する録画画像時間軸表示ステップと、
前記チャンネル毎の録画画像の時間軸上に、前記チャンネルで該当する時刻に発生したイベント情報を表示するイベント情報表示ステップと、
操作入力部からの指示入力に基づき、前記録画画像の時間軸上の位置を選択する選択ステップと、
前記選択された位置に対応する録画画像を再生する再生ステップと
を有する録画画像再生方法。
【請求項１０】
コンピュータを、請求項１から８のいずれかに記載の録画画像再生装置における各手段として機能させるためのプログラム。
【発明の詳細な説明】
【技術分野】
【０００１】
本発明は、チャンネル毎に入力した画像を録画し、選択されたチャンネルの録画画像を再生する録画画像再生装置及び録画画像再生方法に関する。
【背景技術】
【０００２】
従来、この種の録画画像再生装置として、監視地点、監視日時及びイベント情報からなるツリー構造で検索できるように、録画画像が記録される監視カメラシステムが知られている（特許文献１参照）。この監視カメラシステムでは、ユーザは、例えばツリー構造の中から所望のイベント情報を有する画像を選択して再生を行うようになっている。
【０００３】
【特許文献１】特開２０００−２２４５４２号公報
【発明の開示】
【発明が解決しようとする課題】
【０００４】
しかしながら、上記従来の録画画像再生装置では、以下に掲げる問題点があった。即ち、検索に用いられるイベント情報には、イベントの発生時刻を表すインデックスとイベント内容が使用されているに過ぎなかった。従って、個々のイベントが発生したチャンネル及び発生時刻は把握可能であるが、複数のチャンネルで複数のイベントがどの時刻に発生したかを把握することは困難であった。
【０００５】
さらに、複数のイベントの組み合わせ条件により検索を行う場合、複数のイベントに対して順次検索を行わないと、条件を満たす画像が存在するか否かを判断することはできなかった。このため、検索に大きな労力を要していた。
【０００６】
本発明は、上記事情に鑑みてなされたもので、複数のイベントがどのチャンネルでどの時刻に発生したかを容易に理解することが可能な録画画像再生装置及び録画画像再生方法を提供することを目的とする。また、本発明は、複数のイベントの組み合わせによる絞り込みを、ユーザが容易に判断することが可能な録画画像再生装置及び録画画像再生方法を提供することを目的とする。
【課題を解決するための手段】
【０００７】
本発明の録画画像再生装置は、チャンネル毎に入力した画像を録画し、選択されたチャンネルの録画画像を再生する録画画像再生装置であって、表示部の画面上に前記チャンネル毎の録画画像の時間軸を表示する録画画像時間軸表示手段と、前記チャンネル毎の録画画像の時間軸上に、前記チャンネルで該当する時刻に発生したイベント情報を表示するイベント情報表示手段と、操作入力部からの指示入力に基づき、前記録画画像の時間軸上の位置を選択する選択手段と、前記選択された位置に対応する録画画像を再生する再生手段とを備えるものである。
これにより、操作に不慣れなユーザであっても、イベント状況、つまり複数のイベントがどのチャンネルでどの時刻に発生したかを画面上で直感的に理解することが可能となる。
【０００８】
また、本発明は、上記の録画画像再生装置であって、前記イベント情報表示手段は、同一チャンネルの録画画像の時間軸上で複数のイベント情報を重ね合わせて表示する際、重なり合う複数のイベント情報の表示形態を異ならせるものとする。
これにより、同一のチャンネルで複数のイベントが重なって発生した場合でも、複数のイベントの重ね合わせを画面上で直感的に理解することが可能となる。
【０００９】
また、本発明は、上記の録画画像再生装置であって、前記イベント情報表示手段による前記イベント情報の表示の有無を制御する表示制御手段を備えるものとする。
これにより、ユーザの所望に応じて、録画画像の時間軸上にイベント情報を表示させることが可能となる。
【００１０】
また、本発明は、上記の録画画像再生装置であって、前記表示制御手段は、前記表示部の画面上にイベント情報の一覧を表示する一覧表示手段と、前記表示されたイベント情報の一覧の中から、前記イベント情報表示手段により表示されるイベント情報を選択するイベント情報選択手段とを備えるものとする。
これにより、イベント情報の一覧に表示された任意のイベント情報を表示させることが可能となる。
【００１１】
また、本発明は、上記の録画画像再生装置であって、前記画面において、前記録画画像の時間軸を表示する領域の他、前記イベント情報の表示の有無に関する指示を受け付ける領域、前記イベント情報の一覧が表示される領域、前記イベント情報の一覧の中からイベント情報の選択を受け付ける領域、及び前記録画画像の再生の指示を受け付ける領域を設けたものとする。
これにより、ユーザの操作性を高めることが可能となる。
【００１２】
また、本発明は、上記の録画画像再生装置であって、前記イベント情報表示手段は、複数のチャンネル間で発生したイベント情報を連携させ、この連携情報を前記録画画像の時間軸上に表示し、前記選択手段は、前記録画画像の時間軸上に表示された連携情報を選択するものとする。
これにより、複数のチャンネルで複数のイベントが発生した場合でも、複雑な検索式を入力することなく、複数のイベントの組み合わせ条件による検索結果を画面上で直感的に理解することができ、複数のイベントの組み合わせによる絞り込みを、ユーザが容易に判断することが可能となる。従って、ユーザが録画画像を確認する際、検索に要する労力を著しく軽減することができる。
【００１３】
また、本発明は、上記の録画画像再生装置であって、前記イベント情報表示手段は、同一のチャンネルで発生した複数のイベント情報を連携させ、この連携情報を、前記同一チャンネルの前記録画画像の時間軸上に表示し、前記選択手段は、前記録画画像の時間軸上に表示された連携情報を選択するものとする。
これにより、ユーザは、１つのチャンネルで発生した複数のイベントを連携させた大きなイベントに関し、個々の単独イベントがどの時刻に発生したのかを直感的に理解することが可能となる。
【００１４】
また、本発明は、上記の録画画像再生装置であって、前記連携情報に対応する録画画像の連携再生を指示する連携指示手段と、前記連携情報に対応する録画画像の個別再生を指示する個別指示手段とを備え、前記再生手段は、前記連携指示手段によって連携再生が指示された場合、前記連携情報に対応する録画画像を連携して再生し、前記個別指示手段によって個別再生が指示された場合、前記連携情報に対応する録画画像を個別に再生するものとする。
これにより、録画画像を再生する際、再生方法を任意に選択することが可能となる。
【００１５】
本発明の録画画像再生方法は、チャンネル毎に入力した画像を録画し、選択されたチャンネルの録画画像を再生する録画画像再生装置における録画画像再生方法であって、表示部の画面上に前記チャンネル毎の録画画像の時間軸を表示する録画画像時間軸表示ステップと、前記チャンネル毎の録画画像の時間軸上に、前記チャンネルで該当する時刻に発生したイベント情報を表示するイベント情報表示ステップと、操作入力部からの指示入力に基づき、前記録画画像の時間軸上の位置を選択する選択ステップと、前記選択された位置に対応する録画画像を再生する再生ステップとを有するものである。
これにより、操作に不慣れなユーザであっても、イベント状況、つまり複数のイベントがどのチャンネルでどの時刻に発生したかを画面上で直感的に理解することが可能となる。
【００１６】
また、本発明は、コンピュータを、上記いずれかに記載の録画画像再生装置における各手段として機能させるためのプログラムを提供する。
【発明の効果】
【００１７】
本発明によれば、複数のイベントがどのチャンネルでどの時刻に発生したかを容易に理解することが可能な録画画像再生装置及び録画画像再生方法を提供できる。また、複数のイベントの組み合わせによる絞り込みを、ユーザが容易に判断することが可能な録画画像再生装置及び録画画像再生方法を提供できる。
【発明を実施するための最良の形態】
【００１８】
本実施形態に係る録画画像再生装置及び録画画像再生方法は、複数のカメラで撮影された画像をチャンネル毎に録画する監視カメラシステム等に適用されるものである。
【００１９】
（第１の実施形態）
図１は本発明の第１の実施形態に係る監視カメラシステムの構成を示すブロック図である。この監視カメラシステムは、複数のビデオカメラ１０１（１０１ａ、１０１ｂ…）、複数のセンサ１０２（１０２ａ、１０２ｂ…）、録画画像再生装置１００及びディスプレイ１０３を有して構成される。
【００２０】
複数のビデオカメラ１０１は、それぞれ異なる監視地点に設置され、撮影された監視画像を出力する。複数のセンサ１０２は、それぞれ温度やドアの開閉等の情報を取得する。
【００２１】
録画画像再生装置１００は、画像入出力部１１０、センサ入力部１１１、画像圧縮部１１２、画像記録部１１３、２次記憶部１１４、画像伸張部１１５、ＣＰＵ１１６及び操作入力部１１７を有する。
【００２２】
画像入出力部１１０は、ビデオカメラ１０１から出力される画像を取り込み（キャプチャ）、及び画像伸張部１１５によって伸張された画像の出力を行う。センサ入力部１１１は、センサ１０２から出力される各種センサ情報を入力する。画像圧縮部１１２は、画像入出力部１１０によって取り込まれた（キャプチャされた）画像を圧縮する。
【００２３】
画像記録部１１３には、圧縮された画像情報が保存される。２次記憶部１１４には、センサ入力部１１１により入力された各種センサ情報が保存される。画像伸張部１１５は、画像記録部１１３に保存されている画像情報を伸張する。
【００２４】
ＣＰＵ１１６は、各ブロック間の情報のやり取りに関する制御、センサ入力部１１１により得られた情報の解析、ユーザインターフェースの制御を含む装置全体の制御を行う。操作入力部１１７は、外部のポインティングデバイスやキーボード等が接続され、ユーザからの操作指示等による情報を入力する。システムバス１１８は、画像入出力部１１０から操作入力部１１７までの各部を相互に接続する。ディスプレイ１０３は、画像入出力部１１０から出力される画像を表示するとともに、後述する各種ウインドウを表示する。
【００２５】
ここで、画像検索の際に使用される「イベント」について詳述する。イベントには、大きく分けて画像入出力部１１０から得られる画像（映像信号）を基に判断されるイベントと、センサ入力部１１１から得られる各種センサ情報を基に判断されるイベントの２種類がある。ＣＰＵ１１６は、イベント発生の判断及びイベントに基づく検索に際し、イベントの種類に応じて取り扱いを変更せず、同様に検索する。従って、検索時に複数のイベントを組み合わせて、各種イベントの条件を絞り込むことができる。
【００２６】
画像入出力部１１０から得られる映像信号を基に判断されるイベントとしては、例えば次のようなものが挙げられる。ＣＰＵ１１６は、映像信号中の輝度信号について、現フレームと前フレームとの差分を算出し、その差分が所定の閾値を越えた場合、「明るさに変化あり」のイベントが発生したと判断する。また、ＣＰＵ１１６は、映像信号中の物体の動き情報を算出し、動きが検出された場合、「動き発生」のイベントが発生したと判断する。このようなイベントの他、ＣＰＵ１１６は、任意の画像処理を行うことにより得られる情報を、イベントの発生条件とすることができる。また、その発生条件及びアルゴリズムを、ユーザが設定することも可能である。また、ユーザによって設定された発生条件のイベント名も、ユーザによってまた任意に設定可能である。
【００２７】
一方、センサ入力部１１１により得られる各種センサ情報から判断されるイベントとしては、例えば次のようなものが挙げられる。センサ１０２が温度センサである場合、センサ入力部１１１から温度情報が得られる。ＣＰＵ１１６は、その温度情報を解析し、異常な高温が検出された場合、「熱源発生」のイベントが発生したと判断する。また、センサ１０２が部屋の照明スイッチである場合、センサ入力部１１１から照明スイッチのＯＮ／ＯＦＦ情報を示す入力信号が得られる。ＣＰＵ１１６は、照明スイッチのＯＮ／ＯＦＦ情報を認識し、スイッチＯＮの信号が検出された場合、「照明スイッチＯＮ」のイベントが発生したと判断する。このようなイベントの他、ＣＰＵ１１６は、センサ入力部１１１から入力される任意の情報をイベントと判断することができる。また、その発生条件をユーザが任意に設定することも可能である。また、ユーザによって設定された発生条件のイベント名も、ユーザによってまた任意に設定可能である。
【００２８】
上記イベントは、発生時刻と共に２次記憶部１１４に保存され、画像を検索する際のデータベースのタグ情報として用いられる。このタグ情報を基に検索されたイベントの発生状況は、後述する録画画像状態ウインドウ（図２参照）に図形的（グラフィカル）に表示される。
【００２９】
図２は録画イベント表示ソフトウエアを起動することにより表示される制御用ウインドウ２００を示す図である。制御用ウインドウ２００には、日付け表示ウインドウ２０１、録画画像状態ウインドウ２０２、表示切り替えウインドウ２０３、イベント表示ウインドウ２０４及び再生制御ウインドウ２０５が設けられている。
【００３０】
日付け表示ウインドウ２０１には、現在表示されている録画情報の日付けが表されている。ユーザは、日付け表示ウインドウ２０１に対し、ポインティングデバイスで該当する部分をクリックすることにより、操作入力部１１７を介して操作指示情報が入力され、日付けの情報を変更することができる。ユーザによって日付けが変更された場合、その他のウインドウに表示される情報は、変更された日付けに対応した情報に更新される。例えば、録画画像状態ウインドウ２０２には、日付け表示ウインドウ２０１に表示されている日付けに対応した録画画像の時刻情報が表示される。
【００３１】
図３は録画画像状態ウインドウ２０２を示す図である。図中、横軸は時刻を表し、縦軸はカメラのチャンネル情報を表す。時刻として、０：００〜２４：００が表示されている。該当する時刻及びチャンネルに録画画像が存在する場合、任意の色で表現された矩形領域３０１が表示される。これにより、ユーザは、どの時刻のどのチャンネルに録画画像が存在しているかを直感的に認識することができる。なお、ここでは、時刻として、０：００から２４：００までの時間帯を表示したが、その他の時間帯を表示するようにしてもよい。また、入力チャンネル数が９つからなるウインドウを示したが、任意のチャンネル数でウインドウを構成してもよい。この録画画像情報ウインドウ２０２の更なる詳細については後述する。
【００３２】
表示切り替えウインドウ２０３では、ユーザがどの表示を行いたいかを選択可能である。図４は表示切り替えウインドウ２０３を示す図である。表示切り替えウインドウ２０３には、内容表示ウインドウ４０１として、登録イベントを表示するための「登録イベント表示」が示されている（同図（Ａ）参照）。内容表示ウインドウを切り替える場合、ユーザがポインティングデバイスで表示切替ボタン４０２をクリックすると、現在選択可能な内容の一覧４０３が表示される（同図（Ｂ）参照）。そして、ユーザは、「登録イベント表示」処理と「ユーザ設定イベント登録」処理のどちらの処理を行うかを選択する。
【００３３】
イベント表示ウインドウ２０４では、検索時にユーザが表示したいイベントが選択される。図５はイベント表示ウインドウ２０４を示す図である。イベント表示ウインドウ２０４には、内容表示ウインドウ５０１及び表示選択ウインドウ５０２が設けられている。内容表示ウインドウ５０１では、ユーザが表示したいイベント内容を選択することができる。表示選択ウインドウ５０２では、「表示」あるいは「非表示」を選択することができる。「表示」を選択した場合、内容表示ウインドウ５０１では、選択されたイベントが録画画像状態ウインドウ２０２に表示される。この表示に使用される色は、表示選択ウインドウ５０２の背景に表示される。一方、「非表示」を選択した場合、録画画像状態ウインドウ２０２には、内容表示ウインドウ５０１で選択されたイベントが表示されなくなる。
【００３４】
図６はイベント表示ウインドウ２０４の具体例を示す図である。内容表示ウインドウ５０１では、前述したように、ユーザは表示したいイベント内容を選択することができる。また、表示選択ウインドウ５０２では、「表示」あるいは「非表示」を選択することができる。「表示」が選択された場合、内容表示ウインドウ５０１で選択されたイベントは、録画画像状態ウインドウ２０２に表示される。また、表示イベントを選択する際、内容表示ウインドウ（イベント選択領域）５０１のボタンをポインティングデバイスでクリックすると、現在登録されている登録イベントの一覧８０３が表示される。
【００３５】
この登録イベントは、階層構造をなしている。ここでは、「動き関連」の親イベントに対し、「動き発生」及び「ドア開閉」の２つの子イベントが存在する。また、「カメラ関連」の親イベントに対し、「カメラ手動操作」及び「映像信号ＬＯＳＳ」の２つの子イベントが存在する。ユーザは、親イベントを選択すると、子イベント全てを選択した場合と同様の結果を得ることができ、広い条件で動き情報の発生状況を確認できる。また、子イベントのみを選択すると、より狭い条件のイベント発生状況を確認することができる。
【００３６】
なお、この登録イベントの一覧８０３では、階層構造は２階層であり、１つの親イベントに対して子イベントは２つ存在したが、このような階層構造に限らないことは勿論である。例えば、２階層より深い階層構造を持たせ、さらに子イベント数を増やすことで、きめ細やかなイベントによる検索を実現することができる。
【００３７】
図７は登録イベントが表示された録画画像状態ウインドウ２０２を示す図である。録画画像状態ウインドウ２０２において、矩形領域３０１は、前述したように、録画画像が存在している時間を表している。矩形領域９０２は、１つの登録イベントに対応しており、選択された登録イベントの発生時間を表している。また、矩形領域９０３は、矩形領域９０２で表されている登録イベントとは異なる登録イベントの発生時刻を表している。矩形領域９０２、９０３の重なる領域は、２つの異なる登録イベントが同時に発生していることを意味する。ここで、２つ以上の異なる登録イベントが同時に発生する場合、それぞれのイベントを表す矩形領域の表示形態を違えることで、視認を容易にする。例えば、矩形領域の表示位置をずらしたり、色を変えたり、あるいは領域の形状を変更すること等が挙げられる。
【００３８】
図８はイベント選択時に録画画像状態ウインドウ２０２に表示される色を示す図である。イベントは、原則としてカラーで表示される。階層構造の先頭に表示される親イベントには、任意の色１００１が割り当てられる。また、階層構造の下にある子イベントを表示する際、親イベントの表示に割り当てられた色を基調とし、複数のテクスチャパターン１００２が重ね合わせて表示される。
【００３９】
このような表示形態を用いることにより、操作に不慣れなユーザであっても、どのチャンネルのどの時刻でイベントが発生したかという状況を、録画画像状態ウインドウ２０２上で直感的に理解することができる。また、複数のチャンネルで複数の登録イベントが発生した場合でも、複雑な検索式を入力することなく、複数の登録イベントの組み合わせ条件による検索結果を、録画画像状態ウインドウ２０２上で直感的に理解することができる。これにより、ユーザは監視画像を確認する際、検索に要する労力を軽減することができる。
【００４０】
また、再生制御ウインドウ２０５には、再生ボタン２０５ａ、停止ボタン２０５ｂ、逆再生ボタン２０５ｃ及び録画状態表示部２０５ｄが設けられている。この再生制御ウインドウ２０５を用いて、録画画像の再生、逆再生、停止、及び再生画面から録画画像状態表示への切り替えが行われる。
【００４１】
上記構成を有する監視カメラシステムにおける録画画像再生装置の動作を示す。図９はＣＰＵ１１６によって実行される録画イベント表示ソフトウエアの動作処理手順を示すフローチャートである。なお、以降のフローチャートに示す各処理手順に関する処理プログラムは、記憶媒体（ＣＰＵ１１６内のＲＯＭ、２次記憶部１１４あるいは画像記録部１１３）に格納されており、ＣＰＵ１１６によって各処理が実行される。
【００４２】
まず、ディスプレイ１０３の画面上に制御用ウインドウ２００を表示し、この制御用ウインドウ２００内の表示切替ウインドウ２０３からユーザによる表示選択を取得する（ステップＳ１）。この選択に際し、ユーザによって表示切替ボタン４０２がクリックされると、選択可能な内容の一覧４０３が表示される（図４参照）。ここでは、選択可能な内容の一覧４０３として、「登録イベント表示」及び「ユーザ設定イベント登録」が表示される。
【００４３】
そして、選択の結果を判別する（ステップＳ２）。「登録イベント表示」が選択された場合、イベント表示ウインドウ２０４を再描画し（ステップＳ３）、登録イベント表示処理を行う（ステップＳ４）。この登録イベント表示処理では、イベント項目が選択される。この登録イベント表示処理の詳細については後述する。そして、選択されたイベント項目を録画画像状態ウインドウ２０２に描画するか否かを選択する表示／非表示選択処理を行う（ステップＳ５）。この表示／非表示選択処理の詳細については後述する。
【００４４】
一方、ステップＳ２で「ユーザ設定イベント登録」が選択された場合、ユーザ設定イベント登録処理を行う（ステップＳ６）。ユーザは、「登録イベント表示」等で使用されるイベントを、新たに任意の名前で登録することができる。イベント発生の条件として、画像入出力部１１０から得られる映像信号をＣＰＵ１１６で解析した情報、及びセンサ入力部１１１から得られる各種センサ信号をＣＰＵ１１６で解析した情報を使用する。また、イベントの登録は、イベント表示ウインドウ２０４の領域を用いて行われる。
【００４５】
この後、イベント画像再生処理を行う（ステップＳ７）。このイベント画像再生処理では、ユーザは、表示されたイベントの発生状況を確認して録画画像の再生処理を行うことができる。このイベント画像再生処理の詳細については後述する。
【００４６】
これにより、ユーザは、どのチャンネルのどの時刻でどのイベントが発生したかという状況を、録画画像状態ウインドウ２０２上で直感的に理解することができる。また、ユーザは、複数のイベントの組み合わせ条件による録画画像の選択及び再生を容易に行うことができる。
【００４７】
図１０は図９のステップＳ４における登録イベント表示処理手順を示すフローチャートである。内容表示ウインドウ（イベント選択領域）５０１のボタンがポインティングデバイスでクリックされたか否かを判別する（ステップＳ１１）。クリックされなかった場合、本処理を終了し、メインの処理に戻る。
【００４８】
一方、ポインティングデバイスでクリックされた場合、現在登録されている登録イベントの一覧８０３を表示する（ステップＳ１２）。そして、登録イベントの一覧８０３の中から、登録イベントが選択されたか否かを判別する（ステップＳ１３）。登録イベントが選択されなかった場合、ステップＳ１８の処理に移行する。一方、登録イベントが選択された場合、選択された登録イベントが録画画像中に存在するか否かを判別する（ステップＳ１４）。選択された登録イベントが録画画像中に存在しない場合、ステップＳ１８の処理に移行する。
【００４９】
一方、ステップＳ１４で選択された登録イベントが録画画像中に存在する場合、選択された登録イベントが存在した時間に、既に選択されている他の登録イベントが存在して表示済みであるか否かを判別する（ステップＳ１５）。選択された登録イベントが存在した時間に、既に選択されている他の登録イベントが存在しない場合、選択したイベントの表示ステータスを“表示”とし、録画画像状態ウインドウ２０２上での録画画像状態の部分において、録画画像情報に重ねて登録イベントの発生状態を表示する（図７の矩形領域９０２参照、ステップＳ１６）。この後、ステップＳ１８の処理に移行する。
【００５０】
一方、選択された登録イベントが存在した時間に、既に表示済みの登録イベントが存在する場合、選択したイベントの表示ステータスを“表示”とし、録画画像状態ウインドウ２０２上での録画画像状態の部分において、既に表示済みの登録イベントと重複しないように、表示位置をずらして重ね合わせ表示を行う（図７の矩形領域９０３参照、ステップＳ１７）。この後、ステップＳ１８の処理に移行する。
【００５１】
そして、登録イベントを全て選択し終えたか否かを判別する（ステップＳ１８）。全て選択し終えていない場合、ステップＳ１１の処理に戻る。一方、登録イベントを全て選択し終えた場合、本処理を終了し、メインの処理に復帰する。
【００５２】
図１１は図９のステップＳ５における登録イベントの表示／非表示選択処理手順を示すフローチャートである。まず、登録イベントが少なくとも１つ選択されているか否かを判別する（ステップＳ２１）。登録イベントが全く選択されていない場合、本処理を終了し、メインの処理に復帰する。
【００５３】
一方、登録イベントが少なくとも１つ選択されている場合、表示選択ウインドウ５０２が「表示」であるか否かを判別する（ステップＳ２２）。「表示」である場合、表示選択ウインドウ５０１を「表示」から「非表示」に変更するか否かを判別する（ステップＳ２３）。「非表示」に変更しない場合、そのまま本処理を終了し、メインの処理に復帰する。一方、表示選択ウインドウ５０１を「表示」から「非表示」に変更した場合、選択した録画イベント情報に対応する矩形領域を、録画画像状態ウインドウ２０２上から消去する（ステップＳ２４）。この後、本処理を終了し、メインの処理に復帰する。
【００５４】
一方、ステップＳ２２で表示選択ウインドウ５０２が「非表示」である場合、表示選択ウインドウ５０２を「非表示」から「表示」に変更するか否かを判別する（ステップＳ２５）。「表示」に変更しない場合、そのまま本処理を終了し、メインの処理に復帰する。一方、表示選択ウインドウ５０２を「非表示」から「表示」に変更した場合、選択された録画イベント情報に対応する矩形領域を、録画画像状態ウインドウ２０２に表示する（ステップＳ２６）。この後、本処理を終了し、メインの処理に復帰する。
【００５５】
図１２はステップＳ７におけるイベント画像再生処理手順を示すフローチャートである。まず、録画状態表示ウインドウ２０２上の録画画像が存在している箇所がポインティングデバイスによりクリックされたか否かを判別する（ステップＳ３１）。クリックされなかった場合、本処理を終了し、メインの処理に復帰する。
【００５６】
一方、クリックされた場合、クリックされた箇所の位置に応じて、選択領域を確定する（ステップＳ３２）。即ち、イベントでない録画画像の情報部分のみがクリックされた場合、録画画像情報の領域が選択される。また、登録イベントが発生している領域がクリックされた場合、その登録イベントの領域が選択される。また、登録イベントが２つ以上重なっている領域がクリックされた場合、全ての条件を満たす領域のみが選択される。領域が選択された状態で再生ボタン２０５ａがクリックされると、確定した選択領域の先頭から録画画像を再生する（ステップＳ３３）。この後、本処理を終了し、メインの処理に復帰する。
【００５７】
図１３は日付変更処理手順を示すフローチャートである。この処理プログラムは、記憶媒体（ＣＰＵ１１６内のＲＯＭ、２次記憶部１１４あるいは画像記録部１１３）に格納されている。日付けの変更は、制御用ウインドウ２００内の日付け表示ウインドウ２０１に表示された日付けを、ポインティングデバイスで指示することにより行われる。
【００５８】
この日付けの変更に応じて、録画画像状態ウインドウ２０２に表示された録画画像状態を更新する（ステップＳ４１）。表示選択ウインドウ５０２で登録イベントの表示が選択されているか否かを判別する（ステップＳ４２）。登録イベントの表示が選択されていない場合、そのまま本処理を終了する。一方、ステップＳ４２で登録イベントの表示が選択されている場合、録画画像状態ウインドウ２０２においてこの登録イベントを録画画像状態の部分に描画する（ステップＳ４３）。この後、本処理を終了する。
【００５９】
このように、第１の実施形態の録画画像再生装置によれば、チャンネル別に、イベントの発生状況を録画時刻情報とともに、時刻を軸としたグラフィカルユーザインタフェース（ＧＵＩ）に表示する。これにより、ユーザは、イベント状況、つまりどのチャンネルのどの時刻でイベントが発生したかをウインドウ上で直感的に理解することができる。また、複数のチャンネルで複数のイベントが発生した場合でも、複雑な検索式を入力することなく、複数のイベントの組み合わせ条件による検索結果をウインドウ上で直感的に理解することができる。また、複数のイベントの組み合わせによる絞り込みを、ＧＵＩに表示されている複数のイベントの重なりから、ユーザが容易に判断することができる。これにより、所望の条件を満たす画像を容易に検索して再生することができる。よって、ユーザの画像を確認する際の検索に要する労力を著しく軽減できる。
【００６０】
（第２の実施形態）
第２の実施形態における監視カメラシステムの構成は、前記第１の実施形態と同一であるので、同一の符号を付すことによりその説明を省略し、ここでは異なる処理を示す。図１４は第２の実施形態における表示切り替えウインドウ２０３を示す図である。
【００６１】
表示切り替えウインドウ２０３には、内容表示ウインドウ１４０１として、「複数チャンネルイベント連携」を表示することが示されている（同図（Ａ）参照）。ここで、「複数チャンネルイベント連携」とは、異なるチャンネル間における複数の単独イベントの発生状況を解析し、個々の単独イベントを連携させて１つの新たなイベントとして取り扱うことである。この連携処理により、予め登録されているイベントである限り、ユーザは、複数のチャンネル間に亘って生じた複数の単独イベントの発生状況を、１つのイベント発生として、容易に検索することができる。
【００６２】
例えば、チャンネル１で「ドア開閉」イベントが発生し、チャンネル３で「照明スイッチＯＮ」イベントが発生し、チャンネル４で「動き発生」イベントが発生した際、複数チャンネルイベント名「侵入者検知(経路１)」イベントが発生したとする（図１７参照）。なお、この例では「複数チャンネルイベント連携」のイベント連携数は３つであるが、複数である限り、任意のイベント連携数でも同様に処理可能である。
【００６３】
また、表示切り替えウインドウ２０３の表示切替ボタン１４０２をポインティングデバイスでクリックすると、現在選択可能な内容の一覧１４０３が表示される（図１４（Ｂ）参照）。この選択により、ユーザは、「複数チャンネルイベント連携表示」処理、「登録イベント表示」処理、及び「ユーザ設定イベント登録」処理のいずれかを選択することができる。
【００６４】
図１５及び図１６はイベント表示ウインドウ２０４を示す図である。イベント表示ウインドウ２０４には、「複数チャンネルイベント連携」の内容表示ウインドウ１５０１及び発生時刻表示ウインドウ１５０３が表示される。
【００６５】
内容表示ウインドウ１５０１には、イベント表示切替ボタン１５０２が設けられている。ユーザは、イベント表示切替ボタン１５０２をクリックし、表示したい「複数チャンネルイベント連携」のイベント内容を選択することができる。
【００６６】
具体的に、ユーザは、ポインティングデバイスでイベント表示切替ボタン１５０２をクリックすると、内容表示ウインドウ１５０１には、現在選択可能な「複数チャンネルイベント連携」のイベント内容の一覧１６０１が表示される（図１６（Ａ）参照）。この中から所望のイベント内容をクリックすることで、ユーザは、「複数チャンネルイベント連携」のイベントの種類を選択することができる。
【００６７】
また、発生時刻表示ウインドウ１５０３には、選択された「複数チャンネルイベント連携」におけるイベントの発生時刻が表示される。ここで表示される発生時刻として、複数ある単独イベントのうちのいずれかが発生した最初の時刻、及び最後に単独イベントが終了した時刻が表示される。発生時刻表示ウインドウ１５０３には、時刻表示切り替えボタン１５０４が設けられている。ユーザは、ポインティングデバイスで時刻表示切り替えボタン１５０４をクリックすると、発生した「複数チャンネルイベント連携」における全てのイベントの発生時刻及び終了時刻の一覧１６０２が表示される（図１６（Ｂ）参照）。この中から所望の発生時刻及び終了時刻をクリックすることで、ユーザは「複数チャンネルイベント連携」のイベント発生時刻を選択することができ、選択したイベント発生時刻に対応するイベントについて、種々の処理を行うことができる。
【００６８】
図１７は「複数チャンネルイベント連携」のイベント内容としてイベント名「侵入者検知(経路１)」が選択された際のイベント表示ウインドウ２０４を示す図である。イベント表示ウインドウ２０４には、「複数チャンネルイベント連携」の内容表示ウインドウ１５０１及び発生時刻表示ウインドウ１５０３の他、イベント連携再生ボタン１７０５、イベント発生チャンネル表示欄１７０６、単独チャンネルイベント名表示欄１７０７及びイベント単独再生ボタン１７０８が表示される。
【００６９】
ユーザは、ポインティングデバイスでイベント連携再生ボタン１７０５をクリックすると、発生した全ての単独イベントを時刻順に再生する。イベント発生チャンネル表示欄１７０６には、単独チャンネルイベント名表示欄１７０７に表示されているイベントが発生したチャンネルが表示されている。
【００７０】
ここでは、チャンネル１で「ドア開閉」イベントが発生している。従って、チャンネル欄１７０６ａには、「ＣＨ１」が表示され、イベント名１７０７ａには、「ドア開閉」が表示される。また、チャンネル３で「照明スイッチＯＮ」イベントが発生している。従って、チャンネル欄１７０６ｂには、「ＣＨ３」が表示され、イベント名１７０７ｂには、「照明スイッチＯＮ」が表示される。また、チャンネル４で「動き発生」イベントが発生している。従って、チャンネル欄１７０６ｃには、「ＣＨ４」が表示され、イベント名１７０７ｃには、「動き発生」が表示される。
【００７１】
なお、この例では、「複数チャンネルイベント連携」のイベント連携数が３つであるので、表示されるイベント数は３つであるが、任意の数のイベントにおいても同様に表示することが可能である。
【００７２】
ユーザは、ポインティングデバイスによりイベント単独再生ボタン１７０８をクリックすると、発生チャンネル欄１７０６及び単独チャンネルイベント名表示欄１７０７に表示されている、該当するイベントを単独で再生する。
【００７３】
また、選択された「複数チャンネルイベント連携」イベントの時刻情報を用い、録画画像状態ウインドウ２０２に対し、「複数チャンネルイベント連携表示」処理を行う。図１８は「複数チャンネルイベント連携表示」処理が行われた録画画像状態ウインドウ２０２を示す図である。チャンネル１で「ドア開閉」イベント１８０１が表されている。チャンネル３で「照明スイッチＯＮ」イベント１８０２が表されている。チャンネル４で「動き発生」イベント１８０３が表されている。この表示により、ユーザは、「複数チャンネルイベント連携」イベントにおいて、個々の単独イベントの発生時刻及び発生チャンネルの関係を一目で把握することができる。
【００７４】
図１９はＣＰＵ１１６によって実行される複数チャンネルイベント連携表示表示ソフトウエアの動作処理手順を示すフローチャートである。この処理プログラムは、記憶媒体（ＣＰＵ１１６内のＲＯＭ、２次記憶部１１４あるいは画像記録部１１３）に格納されている。
【００７５】
前記第１の実施形態の図９に示す処理プログラムと同一のステップ処理については、同一のステップ番号を付すことで、その詳細な説明を省略し、ここでは異なるステップＳ２Ａ、Ｓ８の処理を詳細に示す。
【００７６】
まず、ディスプレイ１０３の画面上に制御用ウインドウ２００を表示し、この制御用ウインドウ２００内の表示切り替えウインドウ２０３の中からユーザによる表示選択を取得する（ステップＳ１）。この選択に際し、ユーザによって表示切替ボタン１４０２がクリックされると、選択可能な内容の一覧１４０３が表示される（図１４参照）。ここでは、選択可能な内容の一覧１４０３として、「複数チャンネルイベント連携表示」、「登録イベント表示」及び「ユーザ設定イベント登録」が表示される。
【００７７】
そして、選択の結果を判別する（ステップＳ２Ａ）。「登録イベント表示」が選択された場合、イベント表示ウインドウ２０４を再描画し（ステップＳ３）、登録イベント表示処理を行う（ステップＳ４）。この登録イベント表示処理では、イベント項目が選択される。さらに、選択されたイベント項目を録画画像状態ウインドウ２０２に描画するか否かを選択する表示／非表示選択処理を行う（ステップＳ５）。
【００７８】
一方、ステップＳ２Ａで「ユーザ設定イベント登録」が選択された場合、ユーザ設定イベント登録処理を行う（ステップＳ６）。ユーザは、「登録イベント表示」等で使用されるイベントを、新たに任意の名前で登録することができる。イベント発生の条件として、画像入出力部１１０から得られる映像信号をＣＰＵ１１６で解析した情報、及びセンサ入力部１１１から得られる各種センサ信号をＣＰＵ１１６で解析した情報を使用することが可能である。また、イベントの登録は、イベント表示ウインドウ２０４の領域を用いて行われる。
【００７９】
また一方、ステップＳ２Ａで「複数チャンネルイベント連携処理」が選択された場合、「複数チャンネルイベント連携表示」処理を行う（ステップＳ８）。この後、イベント画像再生処理を行う（ステップＳ７）。このイベント画像再生処理では、ユーザは、ステップＳ４の「登録イベント表示」処理、あるいはステップＳ８の「複数チャンネルイベント連携表示」処理で表示されたイベントの発生状況を確認し、録画画像の再生処理を行うことができる。
【００８０】
図２０はステップＳ８における「複数チャンネルイベント連携表示」処理手順を示すフローチャートである。複数チャンネル間で発生した単独イベントを解析し、「複数チャンネルイベント連携」イベントの発生の有無を判別する（ステップＳ６１）。ここで、「複数チャンネルイベント連携」イベントの発生の有無は、例えば、所定の時間幅の中に、複数チャンネルで発生したイベントが存在するか否かで判断される。「複数チャンネルイベント連携」イベントが発生していない場合、そのまま本処理を終了し、メインの処理に復帰する。
【００８１】
一方、「複数チャンネルイベント連携」イベントが発生している場合、イベント表示ウインドウ２０４に表示されている「複数チャンネルイベント連携」イベント検索欄から、ユーザの指示による表示を選択する（ステップＳ６２）。この選択に際し、現在選択可能な「複数チャンネルイベント連携」のイベント内容の一覧１６０１の中から、「複数チャンネルイベント連携」イベントを選択することができる。
【００８２】
イベント表示ウインドウ２０４に表示されている発生時刻欄から、ユーザの指示による「複数チャンネルイベント連携」イベントの発生時刻を選択する（ステップＳ６３）。この選択に際し、「複数チャンネルイベント連携」における全てのイベントの発生時刻の一覧１６０２が表示される。
【００８３】
選択された発生時刻のイベント情報をイベント表示ウインドウ２０４に表示する（図１７参照、ステップＳ６４）。さらに、選択された発生時刻のイベント情報を録画画像状態ウインドウ２０２に表示する（図１８参照、ステップＳ６５）。
【００８４】
この後、連携再生ボタン１７０５がクリックされたか否かを判別する（ステップＳ６６）。連携再生ボタン１７０５がクリックされた場合、表示されている全ての単独イベントを時刻順に再生する（ステップＳ６７）。再生完了後、ステップＳ７０の処理に移行する。
【００８５】
一方、ステップＳ６６で連携再生ボタン１７０５がクリックされなかった場合、単独再生ボタン１７０８がクリックされたか否かを判別する（ステップＳ６８）。単独再生ボタン１７０８がクリックされた場合、選択された単独イベントを再生する（ステップＳ６９）。再生完了後、ステップＳ７０の処理に移行する。一方、単独再生ボタン１７０８がクリックされなかった場合、ステップＳ７０の処理に移行する。
【００８６】
ユーザの指示による再生を継続するか否かを判別する（ステップＳ７０）。再生を継続する場合、ステップＳ６２の処理に戻って再生処理を繰り返す。一方、再生を継続しない場合、本処理を終了し、メインの処理に復帰する。
【００８７】
第２の実施形態の録画画像再生装置によれば、ユーザは、「複数チャンネルイベント連携」のイベントに関し、複数のチャンネル間で個々の単独イベントがどの時刻に発生したのかを直感的に理解することができる。また、各イベントの録画画像の再生も容易に行うことができる。これにより、監視画像確認時の検索に要する労力の軽減を実現することができる。
【００８８】
（第３の実施形態）
第３の実施形態における監視カメラシステムの構成は、前記第１の実施形態と同一であるので、同一の符号を付すことによりその説明を省略する。図２１は第３の実施形態における表示切り替えウインドウ２０３を示す図である。
【００８９】
表示切り替えウインドウ２０３には、内容表示ウインドウ２１０１として、「単チャンネルイベント連携」を表示することが示されている（同図（Ａ）参照）。ここで、「単チャンネルイベント連携」とは、同一チャンネルの中で複数のイベントの発生状況を解析し、同一チャンネルの個々の単独イベントを連携させて１つの新たなイベントとして取り扱うことである。
【００９０】
この連携処理により、予め登録されているイベントである限り、ユーザは、あるチャンネルで発生した複数の単独イベントの発生状況を、１つのイベント発生として容易に検索することができる。
【００９１】
ここでは、ある同一のチャンネルで「音検知」、「照明スイッチＯＮ」及び「動き発生」イベントが連続で発生した際、単チャンネルイベント名「侵入者検知(単チャンネル)」が発生したとする（図２４参照）。なお、この例では、「単チャンネルイベント連携」のイベント連携数は３つであるが、２つ以上であれば任意の数についても同様に表示可能である。
【００９２】
ユーザがポインティングデバイスで表示切替ボタン２１０２をクリックすると、現在選択可能な内容の一覧２１０３が表示される（図２１（Ｂ）参照）。この選択に際し、ユーザは、「単チャンネルイベント連携表示」処理、「登録イベント表示」処理、及び「ユーザ設定イベント登録」処理のいずれかを選択することができる。
【００９３】
図２２はイベント表示ウインドウ２０４を示す図である。「単チャンネルイベント連携」の内容表示ウインドウ２２０１には、「単チャンネルイベント連携」のイベント内容、及び「単チャンネルイベント連携」イベントの発生時刻及び発生チャンネルが表示される。
【００９４】
図２３は「単チャンネルイベント連携」のイベント内容、及び「単チャンネルイベント連携」イベントの発生時刻及び発生チャンネルを示す図である。ユーザは、ポインティングデバイスでイベント表示切替ボタン２２０２をクリックすると、現在選択可能な「単チャンネルイベント連携」のイベント内容の一覧２３０１が表示される（同図（Ａ）参照）。この選択に際し、ユーザは、「単チャンネルイベント連携」のイベントの種類を選択することができる。
【００９５】
発生時刻及び発生チャンネル表示ウインドウ２２０３には、「単チャンネルイベント連携」の内容表示ウインドウ２２０１で選択された「単チャンネルイベント連携」イベントの発生時刻及び発生チャンネルが表示される（同図（Ｂ）参照）。
【００９６】
ここでは、「発生時刻」として、複数ある単独イベントのうち、最初の単独イベントが発生した時刻から最後の単独イベントが終了した時刻までの時間帯が表示される。具体的に、３チャンネルにイベントが発生している。ユーザがポインティングデバイスで時刻表示切り替えボタン２２０４をクリックすると、発生した「単チャンネルイベント連携」の全てのイベントに対し、発生時刻と終了時刻及び発生チャンネルの一覧２３０２が表示される。この選択に際し、ユーザは、「単チャンネルイベント連携」のイベント発生時刻及びチャンネルを選択し、選択されたイベントに対して各処理を行うことができる。
【００９７】
図２４は単チャンネルイベント名「侵入者検知(単チャンネル)」を選択した際のイベント表示ウインドウ２０４を示す図である。このイベント表示ウインドウ２０４には、前述した内容表示ウインドウ２２０１及び発生時刻及び発生チャンネル表示ウインドウ２２０３の他、イベント連携再生ボタン２２０５、イベント発生チャンネル表示欄２４０６、単独チャンネルイベント名表示欄２４０７及びイベント単独再生ボタン２４０８が表示される。
【００９８】
ユーザは、ポインティングデバイスでイベント連携再生ボタン２２０５をクリックすると、発生した全ての単独イベントを時刻順に再生する。イベント発生チャンネル表示欄２４０６には、「単チャンネルイベント連携」のイベントがどのチャンネルで発生したのかが表されている。ここでは、３チャンネルに、「音検知」、「照明スイッチＯＮ」及び「動き発生」イベントが連続で発生している。従って、イベント発生チャンネル表示欄２４０６内の表示チャンネル２４０６ａに「ＣＨ３」、及び単独チャンネルイベント名表示欄２４０７内の表示イベント名２４０７ａに「音検知」が表示される。また、表示チャンネル２４０６ｂに「ＣＨ３」、及び表示イベント名２４０７ｂに「照明スイッチＯＮ」が表示される。また、表示チャンネル名２４０６ｃに「ＣＨ３」、及び表示イベント名２４０７ｃに「動き発生」が表示される。なお、この例では、「単チャンネルイベント連携」のイベント連携数が３つであるので、表示されるイベント数は３つであるが、任意のイベント数についても同様に表示可能である。
【００９９】
ユーザは、ポインティングデバイスでイベント単独再生ボタン２４０８をクリックすると、発生チャンネル欄２４０６及び単独チャンネルイベント名表示欄２４０７に表示されているイベントを単独で再生する。
【０１００】
また、選択された「単チャンネルイベント連携」イベントの時刻情報を用い、録画画像状態ウインドウ２０２に「単チャンネルイベント連携表示」処理を行う。図２５は録画画像状態ウインドウ２０２における「単チャンネルイベント連携表示」処理の表示結果を示す図である。３チャンネルの録画画像状態には、「音検知」イベント２５０１、「照明スイッチＯＮ」イベント２５０２及び「動き発生」イベント２５０３が表示されている。この表示により、ユーザは、「単チャンネルイベント連携」イベントにおける個々の単独イベントの発生時刻及びその関係を一目で把握することができる。
【０１０１】
図２６はＣＰＵ１１６によって実行される複数チャンネルイベント連携表示表示ソフトウエアの動作処理手順を示すフローチャートである。この処理プログラムは、記憶媒体（ＣＰＵ１１６内のＲＯＭ、２次記憶部１１４あるいは画像記録部１１３）に格納されている。
【０１０２】
前記第１、２の実施形態の処理プログラムと同一のステップ処理については、同一のステップ番号を付すことで、その詳細な説明を省略し、ここでは、異なるステップＳ２Ｂ、Ｓ８Ａの処理を詳細に示す。
【０１０３】
まず、ディスプレイ１０３の画面上に制御用ウインドウ２００を表示し、この制御用ウインドウ２００内の表示切替ウインドウ２０３の中からユーザによる表示選択を取得する（ステップＳ１）。この選択に際し、ユーザによって表示切替ボタン２１０２がクリックされると、選択可能な内容の一覧２１０３が表示される（図２１参照）。ここでは、選択可能な内容の一覧２１０３として、「単チャンネルイベント連携表示」、「登録イベント表示」及び「ユーザ設定イベント登録」が表示される。
【０１０４】
選択の結果を判別する（ステップＳ２Ｂ）。「登録イベント表示」が選択された場合、イベント表示ウインドウ２０４を再描画し（ステップＳ３）、登録イベント表示処理を行う（ステップＳ４）。この登録イベント表示処理では、イベント項目が選択される。さらに、選択されたイベント項目を録画画像状態ウインドウ２０２に描画するか否かを選択する表示／非表示選択処理を行う（ステップＳ５）。
【０１０５】
一方、ステップＳ２Ｂで「ユーザ設定イベント登録」が選択された場合、ユーザ設定イベント登録処理を行う（ステップＳ６）。ユーザは、「登録イベント表示」等で使用されるイベントを、新たに任意の名前で登録することができる。イベント発生の条件として、画像入出力部１１０から得られる映像信号をＣＰＵ１１６で解析した情報、及びセンサ入力部１１１から得られる各種センサ信号をＣＰＵ１１６で解析した情報を使用することができる。また、イベントの登録は、イベント表示ウインドウ２０４の領域を用いて行われる。
【０１０６】
また一方、ステップＳ２Ｂで「単チャンネルイベント連携処理」が選択された場合、「単チャンネルイベント連携表示」処理を行う（ステップＳ８Ａ）。
【０１０７】
この後、イベント画像再生処理を行う（ステップＳ７）。このイベント画像再生処理では、ユーザは、ステップＳ４の「登録イベント表示」処理、あるいはステップＳ８Ａの「単チャンネルイベント連携表示」処理で表示されたイベントの発生状況を確認し、録画画像の再生処理を行うことができる。
【０１０８】
図２７はステップＳ８Ａにおける「単チャンネルイベント連携表示」処理手順を示すフローチャートである。前記第２の実施形態の図２０と同一のステップ処理については同一の符号を付すことにより、その詳細な説明を省略する。
【０１０９】
まず、同一チャンネル間で発生した単独イベントを解析し、「単チャンネルイベント連携」イベントの発生の有無を判別する（ステップＳ６１Ａ）。「単チャンネルイベント連携」イベントが発生していない場合、そのまま本処理を終了し、メインの処理に復帰する。
【０１１０】
一方、「単チャンネルイベント連携」イベントが発生している場合、イベント表示ウインドウ２０４に表示されている「単チャンネルイベント連携」イベント検索欄から、ユーザの指示による表示を選択する（ステップＳ６２Ａ）。この選択に際し、現在選択可能な「単チャンネルイベント連携」のイベント内容の一覧２３０１の中から、「単チャンネルイベント連携」イベントを選択することができる。
【０１１１】
イベント表示ウインドウ２０４に表示されている発生時刻欄から、ユーザの指示による「単チャンネルイベント連携」イベントの発生時刻を選択する（ステップＳ６３）。この選択に際し、「単チャンネルイベント連携」における全てのイベントの発生時刻及びチャンネル情報の一覧２３０２が表示される。
【０１１２】
選択された発生時刻のイベント情報をイベント表示ウインドウ２０４に表示する（図２４参照、ステップＳ６４）。さらに、選択された発生時刻のイベント情報を録画画像状態ウインドウ２０２に表示する（図２５参照、ステップＳ６５）。
【０１１３】
この後、連携再生ボタン２２０５がクリックされたか否かを判別する（ステップＳ６６）。連携再生ボタン２２０５がクリックされた場合、表示されている全ての単独イベントを時刻順に再生する（ステップＳ６７）。再生完了後、ステップＳ７０の処理に移行する。
【０１１４】
一方、ステップＳ６６で連携再生ボタン２２０５がクリックされなかった場合、単独再生ボタン２４０８がクリックされたか否かを判別する（ステップＳ６８）。単独再生ボタン２４０８がクリックされた場合、選択された単独イベントを再生する（ステップＳ６９）。再生完了後、ステップＳ７０の処理に移行する。一方、単独再生ボタン２４０８がクリックされなかった場合、ステップＳ７０の処理に移行する。
【０１１５】
ユーザの指示による再生を継続するか否かを判別する（ステップＳ７０）。再生を継続する場合、ステップＳ６２Ａの処理に戻って再生処理を繰り返す。一方、再生を継続しない場合、本処理を終了し、メインの処理に復帰する。
【０１１６】
第３の実施形態の録画画像再生装置によれば、ユーザは、「単チャンネルイベント連携」のイベントに関し、個々の単独イベントがどの時刻に発生したのかを直感的に理解することができる。よって、各イベントの録画画像の再生を容易に行うことができる。これにより、ユーザによる監視画像確認時の検索に要する労力の軽減を実現することができる。
【０１１７】
ここで、請求項に記載の録画画像時間軸表示手段、イベント情報表示手段、表示制御手段、一覧表示手段は、ＣＰＵ１１６及び画像入出力部１１０の機能により実現され、ディスプレイ１０３の表示画面上に表現されるものである。録画画像時間軸表示手段は、録画画像状態ウインドウ２０２に相当し、イベント情報表示手段は、録画画像状態ウインドウ２０２に表示される矩形領域９０２、９０３に相当する。表示制御手段は、ステップＳ１２、Ｓ１３の処理に相当し、このうち、一覧表示手段が登録イベントの一覧８０３及びステップＳ１２の処理に相当し、イベント情報選択手段がステップＳ１３の処理に相当する。
【０１１８】
また、選択手段、再生手段、連携指示手段、個別指示手段は、ＣＰＵ１１６の機能により実現されるものである。選択手段は、ステップＳ３１、Ｓ３２の処理に相当し、再生手段は、ステップＳ３３の処理に相当する。連携指示手段は、ステップＳ６６の処理に相当し、個別指示手段は、ステップＳ６８の処理に相当する。
【０１１９】
なお、本発明は、上記実施形態の構成に限られるものではなく、特許請求の範囲において、種々の変形実施が可能である。
【０１２０】
上述した本実施形態によれば、操作に不慣れなユーザであっても、どのチャンネルでどの時刻にイベントが発生したのかという状況を録画画像状態ウインドウ上で直感的に理解することができる。また、複数のチャンネルで複数の登録イベントが発生した場合にも、複雑な検索式を入力することなく、複数の登録イベントの組み合わせ条件による検索結果を、録画画像状態ウインドウ上で直感的に理解することができる。これにより、ユーザによる監視画像確認時の検索に要する労力を軽減することができる。したがって、セキュリティ対策の監視カメラシステム等に好適である。
【産業上の利用可能性】
【０１２１】
本発明は、複数のイベントがどのチャンネルでどの時刻に発生したかを容易に理解することが可能となる効果、複数のイベントの組み合わせによる絞り込みをユーザが容易に判断することが可能となる効果を有し、チャンネル毎に入力した画像を録画し、選択されたチャンネルの録画画像を再生する録画画像再生装置及び録画画像再生方法等に有用である。
【図面の簡単な説明】
【０１２２】
【図１】本発明の第１の実施形態に係る監視カメラシステムの構成を示すブロック図
【図２】第１の実施形態における録画イベント表示ソフトウエアを起動することにより表示される制御用ウインドウを示す図
【図３】第１の実施形態における録画画像状態ウインドウを示す図
【図４】第１の実施形態における表示切り替えウインドウを示す図
【図５】第１の実施形態におけるイベント表示ウインドウを示す図
【図６】第１の実施形態におけるイベント表示ウインドウの具体例を示す図
【図７】第１の実施形態における登録イベントが表示された録画画像状態ウインドウを示す図
【図８】第１の実施形態におけるイベント選択時に録画画像状態ウインドウに表示される色を示す図
【図９】第１の実施形態においてＣＰＵによって実行される録画イベント表示ソフトウエアの動作処理手順を示すフローチャート
【図１０】第１の実施形態に係るステップＳ４における登録イベント表示処理手順を示すフローチャート
【図１１】第１の実施形態に係るステップＳ５における登録イベントの表示／非表示選択処理手順を示すフローチャート
【図１２】第１の実施形態に係るステップＳ７におけるイベント画像再生処理手順を示すフローチャート
【図１３】第１の実施形態における日付変更処理手順を示すフローチャート
【図１４】第２の実施形態における表示切り替えウインドウを示す図
【図１５】第２の実施形態におけるイベント表示ウインドウを示す図
【図１６】第２の実施形態におけるイベント表示ウインドウを示す図
【図１７】第２の実施形態において「複数チャンネルイベント連携」のイベント内容としてイベント名「侵入者検知(経路１)」が選択された際のイベント表示ウインドウを示す図
【図１８】第２の実施形態において「複数チャンネルイベント連携表示」処理が行われた録画状態表示ウインドウを示す図
【図１９】第２の実施形態においてＣＰＵによって実行される複数チャンネルイベント連携表示表示ソフトウエアの動作処理手順を示すフローチャート
【図２０】第２の実施形態に係るステップＳ８における「複数チャンネルイベント連携表示」処理手順を示すフローチャート
【図２１】第３の実施形態における表示切り替えウインドウを示す図
【図２２】第３の実施形態におけるイベント表示ウインドウを示す図
【図２３】第３の実施形態において「単チャンネルイベント連携」のイベント内容、及び「単チャンネルイベント連携」イベントの発生時刻及び発生チャンネルを示す図
【図２４】第３の実施形態において単チャンネルイベント名「侵入者検知(単チャンネル)」を選択した際のイベント表示ウインドウを示す図
【図２５】第３の実施形態に係る録画状態表示ウインドウにおける「単チャンネルイベント連携表示」処理の表示結果を示す図
【図２６】第３の実施形態においてＣＰＵによって実行される複数チャンネルイベント連携表示表示ソフトウエアの動作処理手順を示すフローチャート
【図２７】第３の実施形態に係るステップＳ８Ａにおける「単チャンネルイベント連携表示」処理手順を示すフローチャート
【符号の説明】
【０１２３】
１００  録画画像再生装置
１０１  ビデオカメラ
１０２  センサ
１０３  ディスプレイ
１１０  画像入出力部
１１１  センサ入力部
１１２  画像圧縮部
１１３  画像記録部
１１４  ２次記憶部
１１５  画像伸張部
１１６  ＣＰＵ
１１７  操作入力部
２０２  録画画像状態ウインドウ
２０３  表示切り替えウインドウ
２０４  イベント表示ウインドウ
【図１】
0004663564.tif 000002
【図２】
0004663564.tif 000003
【図３】
0004663564.tif 000004
【図４】
0004663564.tif 000005
【図５】
0004663564.tif 000006
【図６】
0004663564.tif 000007
【図７】
0004663564.tif 000008
【図８】
0004663564.tif 000009
【図９】
0004663564.tif 000010
【図１０】
0004663564.tif 000011
【図１１】
0004663564.tif 000012
【図１２】
0004663564.tif 000013
【図１３】
0004663564.tif 000014
【図１４】
0004663564.tif 000015
【図１５】
0004663564.tif 000016
【図１６】
0004663564.tif 000017
【図１７】
0004663564.tif 000018
【図１８】
0004663564.tif 000019
【図１９】
0004663564.tif 000020
【図２０】
0004663564.tif 000021
【図２１】
0004663564.tif 000022
【図２２】
0004663564.tif 000023
【図２３】
0004663564.tif 000024
【図２４】
0004663564.tif 000025
【図２５】
0004663564.tif 000026
【図２６】
0004663564.tif 000027
【図２７】
0004663564.tif 000028